(57)【要約】【課題】モニタ画面への保護フィルムの貼付を補助するための補助具を提供すること。【解決手段】画面保護フィルム貼付補助具１は、機器に搭載されるモニタ画面にモニタ画面を保護するための保護フィルムを貼付するために用いられ、モニタ画面の少なくとも一部、及びその側面を囲うように成型されたフレーム２と、フレーム２を機器に装着してモニタ画面上をスライドさせることにより、モニタ画面に付着した除去対象物を除去するための除去用部材と、フレーム２に設けられ、除去用部材がモニタ画面上をスライドした後に、保護フィルムの貼付面がモニタ画面を向くように保護フィルムを供給するための供給用間隙部３と、供給用間隙部３を通して供給された保護フィルムの貼付面がモニタ画面に接するように押圧するための押圧用部材とを備える。【選択図】図１
2014169098.tif 000002
【特許請求の範囲】
【請求項１】
機器に搭載されるモニタ画面に前記モニタ画面を保護するための保護フィルムを貼付するために用いられる画面保護フィルム貼付補助具であって、
前記モニタ画面の少なくとも一部、及びその側面を囲うように成型されたフレームと、
前記フレームを前記機器に装着して前記モニタ画面上をスライドさせることにより、前記モニタ画面に付着した除去対象物を除去するための除去用部材と、
前記フレームに設けられ、前記除去用部材が前記モニタ画面上をスライドした後に、前記保護フィルムの貼付面が前記モニタ画面を向くように前記保護フィルムを供給するための供給用間隙部と、
前記供給用間隙部を通して供給された前記保護フィルムの貼付面が前記モニタ画面に接するように押圧するための押圧用部材とを備えることを特徴とする画面保護フィルム貼付補助具。
【請求項２】
請求項１に記載の画面保護フィルム貼付補助具において、
前記除去用部材および前記押圧用部材は、前記フレームの内面側に凸となるように取り付けられ、
前記供給用間隙部は、前記フレームを前記機器に装着して前記モニタ画面上をスライドさせる際に、前記除去用部材と前記押圧用部材の間に位置するように設けられることを特徴とする画面保護フィルム貼付補助具。
【請求項３】
請求項２に記載の画面保護フィルム貼付補助具において、
前記押圧用部材は、前記除去用部材よりスライド方向の長さが長くなるように構成されることを特徴とする画面保護フィルム貼付補助具。
【請求項４】
請求項１〜３のいずれか一項に記載の画面保護フィルム貼付補助具において、
前記フレームは、前記機器のスライド方向の側面と接する面に、前記機器のスライド方向に沿った窪み有することを特徴とする画面保護フィルム貼付補助具。
【請求項５】
請求項１〜４のいずれか一項に記載の画面保護フィルム貼付補助具において、
前記供給用間隙部の前記保護フィルムの貼付面が接する面には、前記保護フィルムの供給側から前記モニタ画面側に向けて、所定の傾斜が設けられることを特徴とする画面保護フィルム貼付補助具。
【発明の詳細な説明】
【技術分野】
【０００１】
本発明は、画面保護フィルム貼付補助具に関する。
【背景技術】
【０００２】
次のようなシート貼付構造体が知られている。このシート貼付構造体は、イニシャル領域や仮止片を足場として保護シートとディスプレイ面との位置関係を固定した後に、保護シート本体の外側にはみ出したフリー部分を掴むことができるような構造としている。そして、ユーザがフリー部分を引っ張って剥離シートを剥がしながら徐々に接着面をディスプレイ面に貼り付けていくことで、より接着面の露出時間を短くし、埃の混入量を抑えて保護シート本体をディスプレイに貼り付けることができるようにしている（例えば、特許文献１）。
【先行技術文献】
【特許文献】
【０００３】
【特許文献１】特開２０１２−６７２１９号公報
【発明の概要】
【発明が解決しようとする課題】
【０００４】
しかしながら、従来のシート貼付構造体では、ユーザは、保護シートを貼る前にディスプレイ面に付着した汚れや埃を除去しておく必要があり、その後、埃が付着する前に素早く保護シートを貼る必要があるため、保護シートの貼付作業はユーザにとって神経を使う作業であった。また、ユーザは、フリー部分を引っ張って剥離シートを剥がしながら徐々に接着面をディスプレイ面に貼り付けていく際に、位置ずれが起きないように注意する必要があった。
【課題を解決するための手段】
【０００５】
本発明による画面保護フィルム貼付補助具は、機器に搭載されるモニタ画面にモニタ画面を保護するための保護フィルムを貼付するために用いられる画面保護フィルム貼付補助具であって、モニタ画面の少なくとも一部、及びその側面を囲うように成型されたフレームと、フレームを機器に装着してモニタ画面上をスライドさせることにより、モニタ画面に付着した除去対象物を除去するための除去用部材と、フレームに設けられ、除去用部材がモニタ画面上をスライドした後に、保護フィルムの貼付面がモニタ画面を向くように保護フィルムを供給するための供給用間隙部と、供給用間隙部を通して供給された保護フィルムの貼付面がモニタ画面に接するように押圧するための押圧用部材とを備えることを特徴とする。
本発明では、除去用部材および押圧用部材は、フレームの内面側に凸となるように取り付けられ、供給用間隙部は、フレームを機器に装着してモニタ画面上をスライドさせる際に、除去用部材と押圧用部材の間に位置するように設けられるようにしてもよい。
押圧用部材は、除去用部材よりスライド方向の長さが長くなるように構成されることが好ましい。
フレームは、機器のスライド方向の側面と接する面に、機器のスライド方向に沿った窪み有することが好ましい。
供給用間隙部の保護フィルムの貼付面が接する面には、保護フィルムの供給側からモニタ画面側に向けて、所定の傾斜が設けられることが好ましい。
【発明の効果】
【０００６】
本発明による画面保護フィルム貼付補助具では、フレームを機器に装着してモニタ画面上をスライドさせることにより、除去用部材がモニタ画面に付着した汚れや埃を除去した後に、供給用間隙部から保護フィルムが供給され、押圧用部材で押圧されて保護フィルムがモニタ画面に貼付される。このため、ユーザは、供給用間隙部から保護フィルムを供給しながら画面保護フィルム貼付補助具をモニタ画面上でスライドさせるだけで、容易にモニタ画面に保護フィルムを装着することができる。また、フレームは、モニタ画面の少なくとも一部、及びその側面を囲うように成型されるようにしたため、該フレームによって機器が保持された状態でスライドさせることができるため、保護フィルムを貼る際の位置ずれを防止することができる。
【図面の簡単な説明】
【０００７】
【図１】画面保護フィルム貼付補助具を模式的に示した図である。
【図２】フレーム２に設けられる供給用間隙部３、除去用部材４、押圧用部材５を模式的に示した図である。
【図３】画面保護フィルム貼付補助具１を図１に示した矢印の方向から見た状態を示す図である。
【図４】画面保護フィルム貼付補助具１のフレーム２内にスマートフォン６を装着した状態を模式的に示した図である。
【図５】画面保護フィルム貼付補助具１のスライドを再開させた後の状態を模式的に示す図である。
【図６】画面保護フィルム貼付補助具のフレームの側面に窪みを設けた状態を模式的に示した図である。
【図７】除去用部材４よりも押圧用部材５の長さを長くするように構成した場合の具体例を示す図である。
【図８】画面保護フィルム貼付補助具の供給用間隙部に傾斜を設けた状態を模式的に示した図である。
【発明を実施するための形態】
【０００８】
図１は、本実施の形態における画面保護フィルム貼付補助具を模式的に示した図である。画面保護フィルム貼付補助具１は、機器に搭載されるモニタ画面に該モニタ画面を保護するための保護フィルムを貼付するために用いられる道具である。なお、保護フィルムを貼付する対象となる機器は、例えば、スマートフォン、タブレット端末、携帯電話、携帯ゲーム機のように、液晶モニタのような表示装置、またはタッチパネルのような入力装置と表示装置を兼ねたモニタ画面を有する機器である。本実施の形態では、スマートフォンのタッチパネルに保護フィルムを貼付する場合を例に説明する。
【０００９】
画面保護フィルム貼付補助具１は、図１に示すように、フレーム２に、後述するように、フレーム２内にスマートフォンを挿入して、画面保護フィルム貼付補助具１をスライドさせたときに、フィルムの貼付面がタッチパネル面を向くように保護フィルムを供給するための供給用間隙部３が設けられた構造となっている。フレーム２は、例えば、樹脂や金属などの材質が用いられ、後述する図４や図５に示すように、供給用間隙部３側にスマートフォンのタッチパネル面が向くように装着したときに、タッチパネル面の少なくとも一部、及びその側面を囲うように成型されている。
【００１０】
フレーム２の横幅、すなわち図１に示す矢印の向きと垂直方向の長さは、装着するスマートフォンの幅に合わせて設計されるが、固定幅として特定の機種専用としても良いし、伸縮構造にして様々は幅のスマートフォンに対応できるようにしても良い。また、フレーム２の縦幅、すなわち図１に示す矢印方向の長さは、使用者がフレーム２をスマートフォンに装着してスライドさせやすい長さ、例えば、５ｃｍ程度とする。
【００１１】
また、供給用間隙部３の横幅、すなわち図１に示す矢印の向きと垂直方向の長さは、保護フィルムの幅に合わせて設計され、供給用間隙部３の縦幅、すなわち図１に示す矢印方向の長さは、保護フィルムの厚さに応じて設計される。
【００１２】
また、フレーム２の供給用間隙部３が設けられた面の裏側には、図２に示すように、フレーム２内でスマートフォンをスライドさせたときに、スマートフォンのタッチパネルに接し、タッチパネルに付着した汚れ、埃、塵、油分等の除去対象物を除去するための除去用部材４と、供給用間隙部３を通して供給された保護フィルムの貼付面がタッチパネルに接するように押圧するための押圧用部材５とが、供給用間隙部３を挟んで上下に設けられている。
【００１３】
除去用部材４は、該除去用部材４がタッチパネル上に接した状態でスライドすることにより、タッチパネルに付着した汚れ、埃、塵、油分等を除去することができる部材として、例えばゴム製のワイパー状の部材が用いられる。
【００１４】
押圧用部材５は、供給用間隙部３から挿入されて貼付面がタッチパネルに接した状態の保護フィルムを、該押圧用部材５がタッチパネル上に接した状態でスライドすることにより押圧して貼り付けるための部材として、例えばプラスチック製の棒状の部材が用いられる。
【００１５】
図３は、画面保護フィルム貼付補助具１を図１に示した矢印の方向から見た状態を示す図である。この図３に示すように、フレーム２には、フレームの内側、すなわちモニタと接する側に凸となるように除去用部材４が設けられており、除去用部材４と同じ高さでモニタと接する側に凸となるように押圧用部材５が設けられている。なお、図３では、図示された除去用部材４の後ろに供給用間隙部３があり、さらにその後ろに押圧用部材５が設けられているが、除去用部材４に隠れて供給用間隙部３と押圧用部材５は表示されていない。
【００１６】
図４は、図３に示した画面保護フィルム貼付補助具１のフレーム２内にスマートフォン６を装着した状態を模式的に示した図である。図４では、スマートフォン６のタッチパネルが除去用部材４と接するように画面保護フィルム貼付補助具１が装着されている。また、図４では、供給用間隙部３から破線で示す保護フィルム７が挿入されている。
【００１７】
ここで、使用者が画面保護フィルム貼付補助具１を用いてスマートフォン６のタッチパネルに保護フィルム７を貼付する方法について説明する。まず、使用者は、タッチパネルの上辺または下辺のどちらから保護フィルム７の貼付を開始するかを決定する。以下、説明の簡略化のため、ここで決定された辺を「貼付開始辺」と呼ぶ。
【００１８】
使用者は、スマートフォン６をタッチパネル側が上を向くように、画面保護フィルム貼付補助具１を供給用間隙部３側が上を向くようにそれぞれ持ち、スマートフォン６を、貼付開始辺側から、フレーム２の除去用部材４側の開口部へ挿入する。ユーザは、そのままスマートフォン６がフレーム２の中に入る方向へ画面保護フィルム貼付補助具１をスライドさせていく。これにより、画面保護フィルム貼付補助具１は、フレーム２内で除去用部材４とスマートフォン６のタッチパネル側の面が接しながらスライドされるため、タッチパネルの除去用部材４が通過した範囲は、上述した除去対象物が除去された綺麗な状態となる。
【００１９】
その後、ユーザは、給用間隙部３からタッチパネルの貼付開始辺が見えるようになった位置でスライドを停止させる。そして、ユーザは、このスライドを停止させた初期位置において、保護フィルム７の剥離フィルムを剥がし、保護フィルム７の貼付開始辺に対応する辺から、保護フィルム７の貼付面がタッチパネル面を向くように、供給用間隙部３へ保護フィルム７を挿入する。その後、ユーザは、供給用間隙部３から見えているタッチパネルの貼付開始辺と、挿入した保護フィルム７の辺との位置合わせを行う。この位置合わせが完了すると、画面保護フィルム貼付補助具１を用いたタッチパネルへの保護フィルムの貼付準備は完了する。
【００２０】
貼付準備が完了した後は、ユーザは、タッチパネルと画面保護フィルム７の位置がずれないように注意しながら、フレーム２を把持して画面保護フィルム貼付補助具１のスライドを再開させる。このときのスライド方向は、先ほどと同じ方向、すなわち、画面保護フィルム貼付補助具１がタッチパネルの貼付開始辺からその逆側の辺（以下、「貼付終了辺」と呼ぶ）に向けた方向である。
【００２１】
図５は、画面保護フィルム貼付補助具１のスライドを再開させた後の状態を模式的に示す図である。なお、図５では、矢印で示す方向、すなわち図５の下から上方向へ画面保護フィルム貼付補助具１がスライドされる例を示している。この図５では、フレーム２の内側の図面上における供給用間隙部３の上側に除去用部材４が設けられている。また、フレーム２の内側の図面上における供給用間隙部３の下側に押圧用部材５が設けられている。また、図５では、図４と同様に保護フィルム７を破線で表している。
【００２２】
図５において、画面保護フィルム貼付補助具１を、タッチパネル６ａの貼付開始辺６ｂ側から貼付終了辺６ｃ側に向けてスライドさせていくことにより、供給用間隙部３からの挿入により供給された保護フィルム７は、スライドに伴って移動する押圧用部材５によってタッチパネル６ａに押し付けられ貼り付けられていく。
【００２３】
また、スライドの再開に伴い、タッチパネルのまだ除去対象物が除去されていない範囲も、除去用部材４の移動により除去対象物が除去されていく。なお、ユーザは、貼付準備が完了してスライドを再開させた後は、フレーム２の押圧用部材５が設けられている部分の裏側に相当する位置に力を加えてスライドさせれば、保護フィルム７をより強くタッチパネル６ａに押し付けて貼り付けることができる。
【００２４】
本実施の形態では、上述したように、フレーム２の横幅は、装着するスマートフォン６の幅に合わせて設計されており、さらに供給用間隙部３の横幅は、保護フィルム７の幅に合わせて設計されている。このため、フレーム２内にスマートフォン６を挿入してスライドさせ、供給用間隙部３から保護フィルムを供給するようにすれば、貼付開始辺で行った位置合わせの結果からずれることなく保護フィルムを貼付することができる。
【００２５】
また、保護フィルムをタッチパネル６ａに貼り付ける際に、タッチパネル面上に汚れ、埃、塵、油分等が残っていると、保護フィルム７を貼った後の見栄えが悪くなる上、埃は気泡の発生要因となるが、本実施の形態では、供給用間隙部３から保護フィルムが供給される前に除去用部材４によって汚れ、埃、塵、油分等の除去対象物が除去されるため、この問題も解消される。また、供給用間隙部３から保護フィルムが供給された後には、押圧用部材５によって保護フィルム７がタッチパネル６ａに向けて押圧されるため、保護フィルム７をしっかりとタッチパネル６ａに貼り付けることができる上に、仮に気泡が発生したとしてもそれを押し出して、綺麗に保護フィルム７を貼り付けることができる。
【００２６】
以上のように、本実施の形態における画面保護フィルム貼付補助具１を用いて保護フィルム７の貼付を行えば、ユーザは、スマートフォン６をフレーム２の除去用部材４側の開口部へ挿入してからスライドさせ、上述した初期位置でタッチパネル６ａの貼付開始辺６ｂと保護フィルム７との位置合わせを行った後に、画面保護フィルム貼付補助具１を貼付終了辺６ｃに向けてスライドさせるだけで、ずれや気泡の発生を防いで、綺麗に保護フィルム７を貼り付けることができる。
【００２７】
以上説明した本実施の形態によれば、以下のような作用効果を得ることができる。
（１）画面保護フィルム貼付補助具１は、タッチパネル面の少なくとも一部、及びその側面を囲うように成型されたフレーム２と、フレーム２をスマートフォン６に装着してタッチパネル６ａ上をスライドさせることにより、タッチパネル６ａに付着した除去対象物を除去するための除去用部材４と、フレーム２に設けられ、除去用部材４がタッチパネル６ａ上をスライドした後に、保護フィルム７の貼付面がタッチパネル面を向くように保護フィルム７を供給するための供給用間隙部３と、供給用間隙部３を通して供給された保護フィルム７の貼付面がタッチパネル６ａに接するように押圧するための押圧用部材５とを備えるようにした。これによって、ユーザは、スマートフォン６をフレーム２の除去用部材４側の開口部へ挿入してからスライドさせ、上述した初期位置でタッチパネル６ａの貼付開始辺６ｂと保護フィルム７との位置合わせを行った後に、画面保護フィルム貼付補助具１を貼付終了辺６ｃに向けてスライドさせるだけで、ずれや気泡の発生を防いで、綺麗に保護フィルム７を貼り付けることができる。
【００２８】
（２）除去用部材４および押圧用部材５は、フレーム２の内面側に凸となるように取り付けられ、供給用間隙部３は、フレーム２をスマートフォン６に装着してタッチパネル６ａ上をスライドさせる際に、除去用部材４と押圧用部材５の間に位置するように設けられるようにした。これによって、供給用間隙部３から保護フィルムが供給される前に除去用部材４によって汚れ、埃、塵、油分等の除去対象物が除去することができる。また、供給用間隙部３から保護フィルムが供給された後には、押圧用部材５によって保護フィルム７がタッチパネル６ａに向けて押圧されるため、保護フィルム７をしっかりとタッチパネル６ａに貼り付けることができる上に、仮に気泡が発生したとしてもそれを押し出して、綺麗に保護フィルム７を貼り付けることができる。
【００２９】
―変形例―
なお、上述した実施の形態の画面保護フィルム貼付補助具１は、以下のように変形することもできる。
（１）上述した実施の形態では、画面保護フィルム貼付補助具１は、図１〜図５に示したような形状である例について説明した。しかしながら、本発明の目的を達成することができれば、形状はこれに限定されない。例えば、フレーム２の外形を様々な物体の外形を模した形状としてデザイン性を持たせてもよい。また、フレーム２に模様や色彩を付してデザイン性を持たせても良い。
【００３０】
（２）上述した実施の形態では、フレーム２は、例えば、樹脂や金属などの材質が用いられる例について説明した。しかしながら、木や紙などの他の素材により製造されるようにしてもよい。
【００３１】
（３）上述した実施の形態では、除去用部材４としては、例えばゴム製のワイパー状の部材が用いられる例について説明した。しかしながら、タッチパネル上に接した状態でスライドされると、タッチパネルに付着した汚れ、埃、塵、油分等の除去対象物を除去することができる部材であれば、他の素材のものを用いてもよい。例えば、ナイロンやポリエステル製のマイクロファイバーなどの化学繊維で構成される部材を用いてもよい。また、樹脂製の部材のタッチパネルと接する面にマイクロファイバーを取り付けた部材を用いてもよい。
【００３２】
（４）上述した実施の形態では、押圧用部材５は、例えばプラスチック製の棒状の部材が用いられる例について説明した。しかしながら、供給用間隙部３から挿入されて貼付面がタッチパネルに接した状態の保護フィルムを、押圧用部材５がタッチパネル上に接した状態でスライドすることにより押圧して貼り付けるための部材であれば、素材はこれに限定されない、例えば、ゴムや木などを用いてもよい。
【００３３】
（５）上述した実施の形態では、図３に示したように、画面保護フィルム貼付補助具１を図１に示した矢印の方向から見た場合には、フレーム２のスマートフォン６の側面と接する面は、直線状である例について説明した。しかしながら、図６に示すようにスライド方向に沿った窪み８を有する曲線状としてもよい。スマートフォン６の側面と接する面をこのような曲線状にすれば、側面にボタン類が配置されているスマートフォン６でもボタンが引っ掛かることなく、画面保護フィルム貼付補助具１をスライドさせることができる。
【００３４】
（６）上述した実施の形態では、図２では、除去用部材４と、押圧用部材５のスライド方向の長さは同一であった。しかしながら、図７に示すように、除去用部材４よりも押圧用部材５の長さを長くするようにしてもよい。これによって、押圧用部材５がタッチパネル６ａ上を通過する時間が長くなるため、保護フィルム７を貼り付けるための力がより長い時間加わるようにして、タッチパネル６ａに保護フィルム７がしっかりと張り付くようにすることができる。
【００３５】
（７）上述した実施の形態における供給用間隙部３は、図８（ａ）に示すように、フレーム２を矢印で示すスライド方向に切った状態の断面図において、左右の両面がタッチパネル６ａに対して垂直となるような構造としても良いし、図８（ｂ）に示すように、供給用間隙部３のスライド方向の面、すなわち保護フィルム７を挿入した際に保護フィルム７の貼付面が接する面に、保護フィルム７の供給側からタッチパネル６ａ側に向けて、所定の傾斜を持たせてもよい。これによって、ユーザは、供給用間隙部３のスライド方向の面の傾斜に沿って保護フィルム７を挿入すればよいため、作業がしやすくなる。なお、このときの傾斜角は、ユーザが保護フィルム７を挿入しやすい角度、例えば６０度などとすればよい。
【００３６】
なお、本発明の特徴的な機能を損なわない限り、本発明は、上述した実施の形態における構成に何ら限定されない。また、上述の実施の形態と複数の変形例を組み合わせた構成としてもよい。
【符号の説明】
【００３７】
１  画面保護フィルム貼付補助具
２  フレーム
３  供給用間隙部
４  除去用部材
５  押圧用部材
６  スマートフォン
６ａ  タッチパネル
６ｂ  貼付開始辺
６ｃ  貼付終了辺
７  保護フィルム
８  窪み
【図１】
2014169098.tif 000003
【図２】
2014169098.tif 000004
【図３】
2014169098.tif 000005
【図４】
2014169098.tif 000006
【図５】
2014169098.tif 000007
【図６】
2014169098.tif 000008
【図７】
2014169098.tif 000009
【図８】
2014169098.tif 000010